【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】  携帯可能なモバイル機器（１）を持つ顧客と販売店（５）の間での支払い決済方法であり、該支払い決済方法では、支払い端末（２）に支払い端末ＩＤが割り当てられており、前記支払い端末ＩＤは、該当する支払い端末（２）を、販売店（５）にある複数の支払い端末（２）の中から識別することを可能にし、前記支払い決済方法では販売店（５）の支払い端末（２）が、支払われるべき決済全体額を決定し、顧客に全決済全体額と支払い端末ＩＤを知らせ、
顧客は支払い端末ＩＤをモバイル機器（１）に指示し、モバイル機器（１）において、指示された支払い端末ＩＤと顧客の顧客ＩＤとの結合を含む決済初期化書類が準備されることと、
決済初期化書類はモバイル機器（１）から無接点の機器インタフェース（１１）を経て直接支払い端末（２）に伝送されることと、
決済初期化書類はモバイル機器（１）から移動無線網（６）を通じて決済センタ（４）へ送られることと、
支払い端末（２）は、決済初期化書類を受信した後、少なくとも顧客ＩＤ、支払い端末ＩＤおよび決済全体額を含む決済委託書類を準備し、通信網（３）を通じて決済センタ（４）に送ることと、
決済センタ（４）は、少なくとも決済全体額を含む支払い要求を、決済初期化書類を決済センタ（４）に送ったモバイル機器（１）に、移動無線網（６）を通じて送ることとを特徴とする支払い決済方法。
【請求項２】  モバイル機器（１）では、支払い要求と顧客ＩＤとの結合を含む支払い書類が準備され、モバイル機器（１）によって移動無線網（６）を通じて決済センター（４）に送られることを特徴とする請求項１に記載の支払い決済方法。
【請求項３】  モバイル機器（１）における支払い書類の決済センタ（４）への伝送の前に、支払いに関する指示が支払い書類にはめ込まれることを特徴とする請求項２に記載の支払い決済方法。
【請求項４】  支払い端末（２）が、決済委託書類を準備する際に販売店ＩＤを追加的に決済委託書類にはめ込むこと、および決済全体額が販売店ＩＤによって特定される販売店（５）に貸方記入されることを特徴とする請求項１から請求項３の何れか１項に記載の支払い決済方法。
【請求項５】  顧客が、支払い端末ＩＤを自分のモバイル機器（１）に指示する前に、生物測定的な特徴で認証されることを特徴とする請求項１から請求項４の何れか１項に記載の支払い決済方法。
【請求項６】  支払い端末（２）が、支払い端末ＩＤを無接点の機器インタフェース（１１−２１）を経て直接、モバイル機器（１）に送ること、および顧客は支払い端末ＩＤをモバイル機器（１）に指示し、無接点の機器インタフェース（１１−２１）を経て受信した支払い端末ＩＤをモバイル機器（１）の操作要素（１８）を使用して受け入れることを特徴とする請求項１から請求項５の何れか１項に記載の支払い決済方法。
【請求項７】  顧客の支払い能力が決済センタ（４）において検査されることを特徴とする請求項１から請求項６の何れか１項に記載の支払い決済方法。
【請求項８】  １つまたは複数の携帯可能なモバイル機器（１）、少なくとも１つの販売店（５）の１つまたは複数の支払い端末（２）、および決済センタ（４）を含む支払い決済システムであり、モバイル機器（１）と支払い端末（２）にはそれぞれ少なくとも１つのプロセッサ（１６，２６）と無接点の機器インタフェース（１１，２１）が含まれ、無接点インタフェース（１１）を経てモバイル機器（１）がデータを直接、支払い端末（２）に送ることができ、支払い端末（２）には支払い端末ＩＤが割り当てられており、支払い端末ＩＤは、該当する支払い端末（２）を販売店（５）にある複数の支払い端末（２）の中から識別することを可能にし、支払い端末（２）には、顧客に支払い端末ＩＤを知らせる手段が含まれ、支払い端末（２）には顧客に１回の支払い決済について支払うべき決済全体額を知らせる手段（２９）が含まれ、
モバイル機器（１）は決済初期化モジュール（１３）を含み、決済初期化モジュール（１３）は顧客が指示した支払い端末ＩＤを受信し、指示された支払い端末ＩＤと顧客の顧客ＩＤとの結合を含む決済初期化書類を準備し、無接点の機器インタフェース（１１−２１）を経て、直接、該当する支払い端末（２）に送り、移動無線網（６）を通じて決済センタ（４）に送ることと、
支払い端末（２）は決済委託モジュール（２３）を含み、決済委託モジュール（２３）は、決済初期化書類を受け取った後、少なくとも顧客ＩＤ、支払い端末ＩＤおよび該当する支払い決済についての決済全体額を含む決済委託書類を準備し、通信網（３）を通じて決済センタ（４）に送ることと、
および決済センタ（４）は支払い要求モジュール（４２）を含み、支払い要求モジュール（４２）は、少なくとも該当する支払い決済についての決済全体額を含む支払い要求を、支払い決済の決済初期化書類を送ったモバイル機器（１）に移動無線網（６）を通じて送ることとを特徴とする支払い決済システム。
【請求項９】  モバイル機器（１）は支払い書類モジュール（１４）を含んでおり、支払い書類モジュール（１４）は、該当するモバイル機器（１）により決済センタ（４）から受け付けた支払い要求と、該当する顧客の顧客ＩＤとを含む支払い書類を準備し、移動無線網（６）を通じて決済センタ（４）へ送ることを特徴とする請求項８に記載のシステム。
【請求項１０】  支払い書類モジュール（１４）には、支払い書類が決済センタ（４）に送られる前に支払い方法についての指示を支払い書類にはめ込むための手段が含まれることを特徴とする請求項９に記載のシステム。
【請求項１１】  決済委託モジュール（２３）は決済委託書類を準備する際に追加的に販売店ＩＤを決済委託書類にはめ込むための手段を含むこと、および決済センタ（４）は貸方記入モジュール（４１）を含み、この貸方記入モジュールは販売店ＩＤで特定される販売店（５）に、該当する支払い決済の決済全体額を貸方記入することを特徴とする請求項８から請求項１０の何れか１項に記載のシステム。
【請求項１２】  モバイル機器（１）は、顧客の少なくとも１つの生物測定的特徴を受け付け、受け付けた生物測定的特徴に基づいて顧客を認証するための認証モジュール（１２）を含むことを特徴とする請求項８から請求項１１の何れか１項に記載のシステム。
【請求項１３】  支払い端末（２）は、支払い端末ＩＤを無接点の機器インタフェース（２１−１１）を経て直接、モバイル機器（１）に送るための支払い端末ＩＤモジュールを含むこと、および、決済初期化モジュール（１３）は、モバイル機器（１）の操作要素（１８）を使用して該当する顧客が入力した受諾命令を受け付け、受諾命令に対応して該当する支払い端末の支払い端末ＩＤを受け付けるための手段を含むことを特徴とする請求項８から請求項１２の何れか１項に記載のシステム。
【請求項１４】  決済センタ（４）は支払い能力検査モジュール（４３）を含み、支払い能力検査モジュール（４３）は顧客の支払い能力を検査することを特徴とする請求項８から請求項１３の何れか１項に記載のシステム。
【手続補正２】
【補正対象書類名】明細書
【補正対象項目名】０００１
【補正方法】変更
【補正の内容】
【０００１】
本発明は、支払いトランザクション（決済）方法および支払いトランザクションシステムに関する。特に本発明は、独立請求項１の前文記載の支払いトランザクション方法、およびこの支払いトランザクション方法を実施するための支払いトランザクションシステムに関する。